(57)【要約】  セキュア認証機能、特に、商標保護システムで用いるためのセキュア認証機能を提供する。本発明は、少なくとも１つの明白データ担体（１０）と、明白データ担体（１０）の周りに形成されたリング（２５）を含む少なくとも１つの隠れデータ担体（２５）とを含むセキュリティタグである。隠れデータ担体（２５）は、可視光線で照明された時に肉眼で不可視であるが、他の光、例えば、ＵＶ光で照明された時に可視である。【選択図】図２
2010534876.tif 000002
【特許請求の範囲】
【請求項１】
少なくとも１つの明白データ担体と、
前記明白データ担体の外周に位置する少なくとも１つの隠れデータ担体と、
を含むことを特徴とするタグ。
【請求項２】
前記隠れデータ担体は、前記明白データ担体を取り囲むことを特徴とする請求項１に記載のタグ。
【請求項３】
前記隠れデータ担体は、前記明白データ担体の周りにリングを形成することを特徴とする請求項２に記載のタグ。
【請求項４】
前記隠れデータ担体は、前記明白データ担体の周りの除外ゾーンに位置することを特徴とする請求項１から請求項３のいずれか１項に記載のタグ。
【請求項５】
前記隠れデータ担体は、前記明白データ担体と整列することを特徴とする請求項１から請求項４のいずれか１項に記載のタグ。
【請求項６】
前記明白及び／又は隠れデータ担体は、機械可読であることを特徴とする請求項１から請求項５のいずれか１項に記載のタグ。
【請求項７】
前記隠れデータ担体は、前記明白データ担体から離間していることを特徴とする請求項１から請求項６のいずれか１項に記載のタグ。
【請求項８】
前記隠れデータ担体は、前記明白データ担体に当接することを特徴とする請求項１から請求項６のいずれか１項に記載のタグ。
【請求項９】
前記明白及び隠れデータ担体は、同じタイプのデータ担体であることを特徴とする請求項１から請求項８のいずれか１項に記載のタグ。
【請求項１０】
前記明白及び／又は前記隠れデータ担体は、バーコードを含むことを特徴とする請求項１から請求項９のいずれか１項に記載のタグ。
【請求項１１】
前記隠れデータ担体は、前記明白担体を認証する情報を含むことを特徴とする請求項１から請求項１０のいずれか１項に記載のタグ。
【請求項１２】
前記明白データ担体は、暗号化されたデータを収容することを特徴とする請求項１から請求項１１のいずれか１項に記載のタグ。
【請求項１３】
前記隠れデータ担体は、前記明白データ担体における前記データを解読する鍵を収容することを特徴とする請求項１２に記載のタグ。
【請求項１４】
前記隠れデータ担体は、少なくとも１２８データビットを記憶するようになっていることを特徴とする請求項１から請求項１３のいずれか１項に記載のタグ。
【請求項１５】
前記隠れ及び／又は明白データ担体は、少なくとも部分的に誤差補正情報を収容することを特徴とする請求項１から請求項１４のいずれか１項に記載のタグ。
【請求項１６】
前記誤差補正情報は、前記データ担体の１つ又はそれよりも多くに記憶された前記データの少なくとも１０％、及び好ましくは少なくとも４０％を含むことを特徴とする請求項１６に記載のタグ。
【請求項１７】
前記隠れデータ担体は、可視光線で照明された時に肉眼で不可視であるが、他の光で照明された時に可視であることを特徴とする請求項１から請求項１６のいずれか１項に記載のタグ。
【請求項１８】
前記隠れデータ担体は、ＵＶ又はＩＲ照明下でのみ可視であることを特徴とする請求項１７に記載のタグ。
【請求項１９】
前記隠れデータ担体は、２つ又はそれよりも多くの隠れデータ担体を含むことを特徴とする請求項１から請求項１８のいずれか１項に記載のタグ。
【請求項２０】
前記隠れデータ担体の少なくとも１つは、少なくとも１つの他の隠れデータ担体のものと異なる周波数の放射線の照明下で可視であることを特徴とする請求項１９に記載のタグ。
【請求項２１】
前記隠れデータ担体は、線形であることを特徴とする請求項１から請求項２０のいずれか１項に記載のタグ。
【請求項２２】
前記隠れデータ担体は、前記明白データ担体における前記データの少なくとも一部のハッシュを収容することを特徴とする請求項１から請求項２１のいずれか１項に記載のタグ。
【請求項２３】
請求項１から請求項２２のいずれか１項に記載のタグを読み取るようになったタグ読取器。
【請求項２４】
少なくとも１つの明白データ担体と該明白データ担体の外周に位置する少なくとも１つの隠れデータ担体とを含むタグを読み取るようになったタグ読取器。
【請求項２５】
可視光源、及びＵＶ及び／又はＩＲ光源を更に含むことを特徴とする請求項２４に記載のタグ読取器。
【請求項２６】
タグ関連データのセキュア処理及び記憶のためのＳＡＭを含むことを特徴とする請求項２４又は請求項２５に記載のタグ読取器。
【発明の詳細な説明】
【技術分野】
【０００１】
本発明は、セキュア認証機能、特に、商標保護システムで用いるためのセキュア認証機能に関する。
【背景技術】
【０００２】
市場における商品に付加価値を付けて商品を差別化するのに銘柄ロイヤルティが次第に重要になってくると共に、これらの製品の信ぴょう性及び用途をモニタすることは商標所有者にとって重要である。この目的のために、隠れたセキュリティ機能が商品に適用され、これらが本物であることを認証することが多い。隠れセキュリティ機能の例は、ＥＰ０１，１９６，２９７及びＧＢ２，３６６，６４５に記載されているように、可視光線で不可視であるがＵＶ光下で蛍光を発するインクのマーク付けを含む。ＥＰ００，９８８，１５０に記載されているように、ＵＶ感応インクではなくＩＲ感応インクを使用する同様の機能も公知である。
【０００３】
セキュリティは、複数のセキュリティ機能を提供することによって改善することができる。ＵＳ２００５／０，０９２，８４４は、磁気ストリップ、ＲＦ−ＩＤタグ、集積回路、及び複合バーコードのような多くのセキュリティ機能を有する情報カードを説明している。セキュリティ情報を提供するために両方のセキュリティ機能を読み取る必要があるように２つのセキュリティ機能間の関係を提供することにより、更なるセキュリティを追加することができる。この例は、ＥＰ０１，６１０，２６３に記載されている。
【先行技術文献】
【特許文献】
【０００４】
【特許文献１】ＥＰ０１，１９６，２９７
【特許文献２】ＧＢ２，３６６，６４５
【特許文献３】ＥＰ００，９８８，１５０
【特許文献４】ＵＳ２００５／０，０９２，８４４
【特許文献５】ＥＰ０１，６１０，２６３
【発明の概要】
【発明が解決しようとする課題】
【０００５】
偽造者が、隠れセキュリティ機能の検出及び複写に熟練すると、新しいセキュリティ機能が必要である。
【課題を解決するための手段】
【０００６】
本発明の第１の態様により、少なくとも１つの明白データ担体パターン、及び明白データ担体パターンの外周に位置する少なくとも１つの隠れデータ担体パターンを含むタグを提供する。
隠れデータ担体パターンを明白データパターンの外周に置くことは、隠れデータ担体パターンをより容易に置くことを可能にする。
明白及び／又は隠れデータ担体パターンは、機械可読にすることができる。
【０００７】
隠れデータ担体パターンは、明白データ担体パターンから離間させることができる。代替的に、隠れデータ担体は、明白担体に当接することができる。このようにして、明白及び隠れデータ担体の両方は、１つの操作で読み取ることができ、走査時間を節約することができる。
隠れデータ担体パターンは、明白データ担体パターンを取り囲むことができる。例えば、隠れデータ担体パターンは、明白データ担体パターンの周りにリングを形成することができる。明白データ担体パターンの外部にかつそれを取り囲む区域に位置することにより、明白データ担体パターンをそのサイズを増減させることによってスケーリングすることは、それを取り囲む隠れデータ担体パターンの同様のスケーリングをもたらすことになる。従って、隠れデータパターンは、明白データ担体パターンの増加した容量を符号化するか又は認証するのに必要な増加した容量を有することになる。
【０００８】
隠れデータ担体パターンは、明白データ担体パターンの周りの除外ゾーンに置くことができる。明白データ担体パターンの周りの除外ゾーンに隠れデータ担体パターンを置くことにより、明白データ担体パターンは、周囲の照明条件において変化しないように見え、タグが付加されたあらゆるパッケージングも変化しないままとすることができる。
明白及び隠れデータ担体パターンは、同じタイプのデータ担体パターンとすることができる。明白及び／又は隠れデータ担体パターンは、バーコードとすることができる。明白及び隠れセキュリティ機能の両方のために同じタイプのデータ担体パターン、例えば、バーコードを使用することにより、既存の読取器構成に必要な変更が最小である。実際に、明白データ担体パターンは、従来のデータ担体パターンと正確に同じ方法で読取可能及び書込可能とすることができる。システムのセキュリティは、明白及び隠れデータ担体パターンの両方の認証に用いる読取器が外見上従来のタグ読取器と同じに見える可能性があるので更に増大する。
【０００９】
隠れデータ担体パターンは、明白データ担体パターンと整列させることができる。隠れデータ担体パターンを明白データ担体パターンと整列させることにより、明白データ担体パターンのアラインメント及び／又は配向マーク付けを用いて、隠れデータ担体パターンのアラインメント及び／又は配向を判断することができる。このようにして、隠れデータ担体パターンは、いずれのアラインメント及び／又は配向マーク付けも収容する必要はなく、隠れ担体によって保持される使用可能なデータを最大にすること、及び／又は隠れデータ担体パターンによって取られる空間を最小にすることを可能にする。
【００１０】
隠れデータ担体パターンは、明白担体パターンを認証するように配置することができる。これは、タグをオフラインで認証することを可能にする。
隠れデータ担体パターンは、ＵＶ又はＩＲ蛍光インクを用いて形成することができる。
明白データ担体パターンは、暗号化データを収容することができる。隠れデータ担体パターンは、明白データ担体パターンのデータを解読する鍵を収容することができる。
【００１１】
隠れデータ担体パターンは、少なくとも１２８データビットを記憶するように適応させることができる。
隠れ及び／又は明白データ担体パターンは、部分的に誤差補正情報を収容することができる。誤差補正情報は、データ担体パターンの１つ又はそれよりも多くに記憶されたデータの少なくとも１０％、及び好ましくは少なくとも４０％を含むことができる。誤差補正情報は、「リード−ソロモン」及び畳み込み符号化を用いることができる。
【００１２】
隠れデータ担体は、可視光線で照明された時に肉眼で不可視であるが、他の光で照明された時に可視とすることができる。隠れデータ担体は、ＵＶ又はＩＲ照明下で可視とすることができる。
隠れデータ担体パターンは、２つ又はそれよりも多くの隠れデータ担体パターンを含むことができる。隠れデータ担体パターンの少なくとも１つは、少なくとも１つの他の隠れデータ担体パターンのものと異なる周波数の放射線の照明下で可視であるように適応させることができる。
【００１３】
隠れデータ担体パターンは、線形にすることができ、それは、実用上、明白データ担体パターンの周りの除外ゾーン内に嵌め込みやすい場合がある。
隠れデータ担体パターンは、２次元バーコードとすることができる。この利点は、それが、増大したデータ記憶容量を有する点である。
隠れデータ担体パターンは、明白データ担体パターンにおけるデータの少なくとも一部のハッシュを収容することができる。ハッシュは、ＭＤ５ダイジェストとすることができる。
【００１４】
本発明の別の態様により、少なくとも１つの明白データ担体パターンと明白データ担体パターンの外周に位置する少なくとも１つの隠れデータ担体パターンとを含むタグを読み取るように適応されたタグ読取器を提供する。
タグ読取器には、可視光源及びＵＶ及び／又はＩＲ光源を設けることができる。
タグ読取器は、タグ関連データのセキュア処理及び記憶のためのセキュアアクセスモジュール（ＳＡＭ）を収容することができる。
本発明は、単に例示的に以下の図面を参照して説明する。
【図面の簡単な説明】
【００１５】
【図１】可視光源で照明された時の本発明のセキュア認証機能の画像を示す図である。
【図２】可視光源及びＵＶ光源の両方で照明された時の図１のセキュア認証機能の画像を示す図である。
【発明を実施するための形態】
【００１６】
図１は、可視光線下で照明されたタグ５を示している。タグ５は、この場合には２０ｘ２０「ＥＣＣ  ２００」データマトリックスバーコードである明白２次元バーコード１０を含む。バーコード１０は、明暗のいずれかであって２次元で読み取られる成分のグリッドで作成される。明暗成分の組合せは、プロトコルにより英数字に翻訳される。
バーコード１０は、この場合にはバーコード１０の２つの縁部に沿って互いに垂直に延びる２つの実線と、バーコード１０の他の２つの縁部に沿って延びる交互明暗のピクセルの２つの破線とを含むアラインメント及び構成特徴部１５を有する。これらのアラインメント及び構成特徴部１５は、データを担持しない。実線を用いてバーコード１０を配置、整列、かつ配向し、一方、破線を用いてバーコード１０の成分の数及びサイズを判断する。タグ５は、バーコード１０を取り囲む空白除外ゾーン２０を更に含む。バーコード１０は、標準仕様のものであり、従来のバーコード読取器で読み取ることができる。
【００１７】
タグ５には、明白２次元バーコード１０の周囲の除外ゾーン２０に位置するリング内に隠れ線形データ担体２５が更に設けられる。隠れデータ担体２５は、可視光線で照明された時に肉眼で不可視であるが、他の光、例えば、ＵＶ光で照明された時に可視である。隠れ線形データ担体２５は、図１に示すように可視光線でのみ照明された時に眼で及び従来のバーコード読取器で不可視であるが図２に示すようにＵＶ光で照明された時に可視であるＵＶ蛍光インクで印刷される。
【００１８】
隠れ線形データ担体２５は、明白バーコード１０の明暗の成分と同様の大きさにされて寸法設定された蛍光及び非蛍光成分から成る。隠れ線形データ担体２５の成分は、明白バーコード１０のアラインメント及び構成特徴部１５を用いて隠れデータ担体２５のアラインメント及び配向を判断することができるように、明白バーコード１０の成分に整列して配向される。同様に、隠れバーコード及び明白バーコード内のピクセルの数とサイズの間の関係を定めることにより、隠れデータ担体２５のピクセルの数及びサイズは、明白バーコード１０のアラインメント及び構成特徴部１５から判断することができる。
【００１９】
上述のような２０ｘ２０「ＥＣＣ  ２００」データマトリックスバーコード１０及び隠れ線形データ担体２５を用いて、隠れデータ担体２５内に２２４ビットのデータを記憶することができる。隠れデータ担体２５によって記憶されたデータは、典型的には全隠れデータの少なくとも１０％、及び好ましくは４０％である誤復号の可能性を低下させるための誤差補正データを収容する。用いる誤差補正は、「リード−ソロモン」及び畳み込み符号化である。
代替的な実施形態では、タグ５は、互いに重ね合わせた複数の隠れデータ担体２５を含む。各隠れデータ担体２５は、これらを区別することができるように異なる波長及び／又は異なる強度で蛍光を発するように配置される。更に別の代替的な実施形態では、隠れデータ担体は、２Ｄバーコードと類似の２Ｄデータ担体リングとすることができる。
【００２０】
隠れデータ担体２５は、明白バーコード１０の認証に使用可能であるデータを保持するようになっている。このようにして、隠れデータ担体２５上のデータと明白データ担体１０上のデータの交絡を達成することができ、偽造者に対して単一担体上のデータセットよりも抽出することが困難であるデータセットをもたらす。一実施形態では、隠れデータ担体２５は、明白バーコード１０に暗号化されたデータを解読するための鍵を収容する。
【００２１】
代替的又は追加的な実施形態では、隠れデータ担体２５は、明白バーコード１０におけるデータのハッシュ又は明白バーコード１０データの認証に用いるためのメッセージ認証コード（ＭＡＣ）を収容する。適切なハッシュ機能は、バーコード１０のサイズ及び担持されたデータの量に応じて選択することができ、例えば、上述のタグ５では、ＭＤ５機能は、これが理想的には隠れデータ担体２５上に記憶するための大きさにされた１２８ビットのダイジェストを必要とすると考えられるので好ましい。
隠れデータ担体２５及びバーコード１０の両方は、従来のバーコード製造工程を用いて適用することができる。例えば、明白バーコード１０がインクジェットプリンタを用いて付加される場合、インクジェットプリンタのインク区画は、隠れデータ担体２５を印刷するために、ＵＶ又はＩＲ蛍光であるが可視光線下では無色であるインクで充填することができる。
【００２２】
標準２Ｄバーコード読取器は、撮像器及び照明源（典型的には、赤色ＬＥＤ）から成る。赤色ＬＥＤの一部がＵＶ又はＩＲのＬＥＤと置換されるか又はそれで増強された場合、撮像器は、明白バーコード１０及び隠れデータ担体２５の両方を同時に取り込むことができる。明白バーコード１０に対する隠れデータ担体２５の最適撮像は、赤色及びＵＶ／ＩＲのＬＥＤの相対強度を変更することによって行うことができるこれらの相対コントラストを変化させることによって達成することができる。代替的に、連続画像を撮ることができ、第１の画像は、赤色ＬＥＤを用いて照明され、次の画像は、ＵＶ又はＩＲのＬＥＤで照明される。連続画像補捉間の間隔は、測定がユーザに対して実質的に同時に現れるように十分短くされる。ＩＲのＬＥＤを用いる時に、殆どのＣＣＤ及びＣＭＯＳ撮像器がＩＲ光及び可視放射に対して感受性があるので、標準撮像器のハードウエアを用いることができる。データセキュリティを保証するために、セキュアアクセスモジュール（ＳＡＭ）のようなセキュア処理モジュールは、タグ関連データのセキュア処理及び記憶のためにバーコード読取器に埋め込むことができる。
【００２３】
上述のデータ担体パターン５は、広範囲な品目又はリソース又はこれらに関連のパッケージングに適用可能であり、その品目又はリソースに関連するデータ及びその認証の両方を提供する。このようにして、上述のタグ５は、有利な態様においては、薬剤又は航空機構成要素のような高価な又は安全性が重大な商品のパッケージに対する使用に適している。上述のタグ５及び読取器の迅速、廉価、かつ簡単な機械可読特性は、追跡及びトレース又は商標保護管理システムのようなシステムにおける使用に対してこれらを有益にする。
【００２４】
当業者は、開示された構成の変形が本発明の範囲から逸脱することなく可能であることを認めるであろう。例えば、明白データ担体パターン１０は、２次元バーコードとして説明したが、１次元バーコードのような他の好ましいデータ担体パターンを用いることができる。更に、隠れデータ担体パターン２５は、ＵＶ又はＩＲ活性インクで印刷されると説明したが、他の分光領域で活性であるインク又は磁気活性インクのような他の明白インク又はマーク付け材料を用いることができる。
【００２５】
隠れデータ及び明白データは、ハッシュ機能、ＭＡＣ、又は鍵暗号化に関連すると説明したが、実際には、データ担体１０、２５間のデータの分割のような明白データ担体１０と隠れデータ担体２５の間のデータ交絡のあらゆる適切な形態を用いることができる。同様に、当業者は、上述のハッシュ機能、ＭＡＣ、又は鍵暗号化の例に対して適切な変形又は代替形態を用いることができることを認識するであろう。従って、特定的な実施形態の以上の説明は、限定の目的ではなく、単に例示的に行ったものである。小さな修正を上述の作動に対する有意な変化なしに行うことができることは、当業者には明らかであろう。
【符号の説明】
【００２６】
１０  明白データ担体、明白バーコード
１５  アラインメント及び構成特徴部
２５  隠れデータ担体、リング
【図１】
2010534876.tif 000003
【図２】
2010534876.tif 000004
【国際調査報告】
2010534876.tif 000005
2010534876.tif 000006